(57)【要約】  物体への力及び衝撃をモニタするシステム及び方法が提供される。本明細書に開示されるシステム及び方法を使用して、人間である被験者への力及び衝撃をモニタすることができる。幾つかの実施態様では、システムは、物体に直接結合することができる共形電子回路内に配置するか、又は衣服及び保護ギア等の他の物体に配置することができる。システムは、データをレビューして解析できるようにする記憶モジュールを含むことができる。幾つかの実施態様では、システムはインジケータを含むこともできる。幾つかの実施態様では、インジケータを使用して、システムによって行われる衝撃のリアルタイム解析を表示することができる。
2016506526.tif 000002
【特許請求の範囲】
【請求項１】
物体への物理的衝撃を定量化する装置であって、
物体への物理的衝撃の測定値を示すデータを受信するデータ受信器であって、前記データは、前記物体の部分に結合されるセンサによって測定され、前記センサは、前記物体への物理的衝撃の測定値を検出するように更に構成される、データ受信器と、
前記物理的衝撃の前記測定値に基づいて、付与エネルギーの第１の所定の閾値を超える前記物体への前記物理的衝撃の第１の数を示すデータを定量化するヒットカウントモニタと、
を備える、装置。
【請求項２】
前記物体は人体部位である、請求項１に記載の装置。
【請求項３】
前記人体部位は頭部、脚部、胸部、腹部、肩部である、請求項１に記載の装置。
【請求項４】
前記データ受信器に結合される記憶装置を更に備え、前記記憶装置は、付与エネルギーの前記所定の閾値を超える前記第１の数の物理的衝撃を示すデータを記憶するように構成される、請求項１に記載の装置。
【請求項５】
付与エネルギーの前記所定の閾値を超える物理的衝撃の前記第１の数を示すデータを送信する送信モジュールを更に備える、請求項１に記載の装置。
【請求項６】
前記送信モジュールは無線送信モジュールである、請求項５に記載の装置。
【請求項７】
プロセッサ実行可能命令を実行して、前記物理的衝撃の前記測定値を示すデータを解析し、付与エネルギーの前記所定の閾値を超える物理的衝撃の前記第１の数を特定するプロセッサを更に備える、請求項１に記載の装置。
【請求項８】
プロセッサ実行可能命令を実行して、前記物理的衝撃の直線加速度及び角加速度のうちの少なくとも一方の時間変動の積分に基づいて付与エネルギーを計算するプロセッサを更に備え、前記物理的衝撃の直線加速度及び角加速度のうちの少なくとも一方の時間変動を示すデータは、前記物体への前記物理的衝撃の前記測定値に基づいて導出される、請求項１に記載の装置。
【請求項９】
前記センサは加速度計及びジャイロスコープのうちの少なくとも一方を更に備え、前記物理的衝撃の前記測定値は、前記加速度計及び前記ジャイロスコープのうちの少なくとも一方からの測定値に基づいて計算される、請求項１に記載の装置。
【請求項１０】
前記プロセッサは、プロセッサ実行可能命令を実行して、前記物理的衝撃の各測定値に基づいて付与エネルギーの値を計算し、前記物理的衝撃の各測定値に基づく付与エネルギーの値を前記付与エネルギーの前記第１の所定の閾値と比較することにより、付与エネルギーの前記第１の所定の閾値を超える前記物体への前記物理的衝撃の前記第１の数を特定する、請求項１に記載の装置。
【請求項１１】
プロセッサ実行可能命令を実行して、付与エネルギーの前記第１の所定の閾値を超える前記物体への物理的衝撃が検出される都度、ヒットカウントの第１の累積数をインクリメントするプロセッサを更に備える、請求項１に記載の装置。
【請求項１２】
前記プロセッサは、プロセッサ実行可能命令を更に実行して、ヒットカウントの前記第１の累積数を示すデータを記憶装置に記憶するか、又は送信する、請求項１１に記載の装置。
【請求項１３】
前記センサは可撓性センサであり、前記可撓性センサは、前記物体の前記部分に適合するように構成される、請求項１に記載の装置。
【請求項１４】
基板と、
前記基板に配置されるセンサであって、前記基板は前記物体の前記部分に結合される、センサと、
を更に備える、請求項１に記載の装置。
【請求項１５】
前記基板は可撓性基板であり、前記センサは可撓性センサであり、前記可撓性センサは、前記物体の前記部分に適合するように構成される、請求項１に記載の装置。
【請求項１６】
前記ヒットカウントモニタは、前記第１の所定の閾値よりも大きな付与エネルギーの第２の所定の閾値を超える前記物体への前記物理的衝撃の第２の数を示すデータを更に定量化する、請求項１に記載の装置。
【請求項１７】
プロセッサ実行可能命令を実行して、付与エネルギーの前記第２の所定の閾値を超える前記物体への物理的衝撃が検出される都度、ヒットカウントの第２の累積数をインクリメントするプロセッサを更に備える、請求項１６に記載の装置。
【請求項１８】
前記プロセッサは、プロセッサ実行可能命令を更に実行して、ヒットカウントの前記第２の累積数を示すデータを記憶装置に記憶するか、又は送信する、請求項１７に記載の装置。
【請求項１９】
前記ヒットカウントモニタは、前記第２の所定の閾値よりも大きな付与エネルギーの第３の所定の閾値を超える前記物体への前記物理的衝撃の第３の数を示すデータを定量化する、請求項１３に記載の装置。
【請求項２０】
プロセッサ実行可能命令を実行して、付与エネルギーの前記第３の所定の閾値を超える前記物体への物理的衝撃が検出される都度、ヒットカウントの第３の累積値をインクリメントするプロセッサを更に備える、請求項１９に記載の装置。
【請求項２１】
前記プロセッサは、プロセッサ実行可能命令を更に実行して、ヒットカウントの前記第２の累積数及びヒットカウントの前記第３の累積数のうちの少なくとも一方を示すデータを記憶装置に記憶するか、又は送信する、請求項２０に記載の装置。
【請求項２２】
物体への前記物理的衝撃の前記測定値を示す前記データに基づく曲線近似を実行するデータ近似モジュールを更に備え、前記曲線近似は、付与エネルギーの前記第１の所定の閾値を超える前記物体への前記物理的衝撃の前記第１の数を示す前記データを提供する、請求項２１に記載の装置。
【請求項２３】
前記曲線近似は頭部損傷基準関数に基づく、請求項２２に記載の装置。
【請求項２４】
前記物理的衝撃の前記測定値を示す前記受信データは、前記センサの測定閾値を超え、非測定衝撃データが生成されることを示し、前記データ近似モジュールは、所定の波形に基づいて前記曲線近似を実行して、前記非測定データを生成する、請求項２２に記載の装置。
【請求項２５】
物体への物理的衝撃を定量化する装置であって、
基板に配置される可撓性センサであって、物体の部分に適合するように構成され、前記可撓性センサは、前記物体への物理的衝撃の測定値を検出するように更に構成される、可撓性センサと、
ヒットカウントモニタであって、前記物理的衝撃の前記測定値に基づいて、付与エネルギーの第１の所定の閾値を超える前記物体への前記物理的衝撃の第１の数を示すデータを定量化する、ヒットカウントモニタと、
付与エネルギーの前記第１の所定の閾値を超える前記物体への前記物理的衝撃の前記第１の数のインジケーションを表示するインジケータと、
を備える、装置。
【請求項２６】
前記インジケータは、発光デバイス、液晶ディスプレイ、及び電気泳動ディスプレイのうちの少なくとも１つを含む、請求項２５に記載の装置。
【請求項２７】
前記インジケータは発光デバイス（ＬＥＤ）であり、前記ＬＥＤは、シグナリングコードに従って前記ＬＥＤの光振幅の変調を使用して、前記物理的衝撃の前記第１の数の前記インジケーションを提供する、請求項２５に記載の装置。
【請求項２８】
前記シグナリングコードに従った前記ＬＥＤの前記光振幅の前記変調は、人間の目で検出可能である、請求項２７に記載の装置。
【請求項２９】
前記シグナリングコードに従った前記ＬＥＤの前記光振幅の前記変調は、イメージセンサによって検出可能である、請求項２７に記載の装置。
【請求項３０】
前記イメージセンサは、スマートフォン、タブレット、スレート、又は電子リーダの構成要素である、請求項２９に記載の装置。
【請求項３１】
前記可撓性センサに結合されて、付与エネルギーの前記所定の閾値を超える物理的衝撃の前記第１の数を示すデータを記憶する記憶装置を更に備える、請求項２５に記載の装置。
【請求項３２】
プロセッサ実行可能命令を実行して、付与エネルギーの前記第１の所定の閾値を超える前記物体への物理的衝撃が検出される都度、ヒットカウントの第１の累積数をインクリメントするプロセッサを更に備える、請求項２５に記載の装置。
【請求項３３】
前記インジケータは、ヒットカウントの前記第１の累積数のインジケーションを表示する、請求項３２に記載の装置。
【請求項３４】
前記ヒットカウントモニタは、前記第１の所定の閾値よりも大きな付与エネルギーの第２の所定の閾値を超える前記物体への前記物理的衝撃の第２の数を示すデータを更に定量化する、請求項２５に記載の装置。
【請求項３５】
プロセッサ実行可能命令を実行して、付与エネルギーの前記第２の所定の閾値を超える前記物体への物理的衝撃が検出される都度、ヒットカウントの第２の累積数をインクリメントするプロセッサを更に備える、請求項３４に記載の装置。
【請求項３６】
前記インジケータは、ヒットカウントの前記第２の累積数のインジケーション又は付与エネルギーの第２の所定の閾値を超える前記物体への前記物理衝撃の前記第２の数のインジケーションを表示する、請求項３５に記載の装置。
【請求項３７】
前記ヒットカウントモニタは、前記第２の所定の閾値よりも大きな付与エネルギーの第３の所定の閾値を超える前記物体への前記物理的衝撃の第３の数を示すデータを定量化する、請求項３５に記載の装置。
【請求項３８】
前記インジケータは、ヒットカウントの前記第３の累積数のインジケーション又は付与エネルギーの第２の所定の閾値を超える前記物体への前記物理的衝撃の前記第３の数のインジケーションを表示する、請求項３７に記載の装置。
【請求項３９】
物体への物理的衝撃を定量化する方法であって、
物体への少なくとも１つの物理的衝撃を示すデータを受信することと、
付与エネルギーの第１の所定の閾値を超える前記物体への前記少なくとも１つの物理的衝撃の第１の数を示すデータを、処理ユニットを使用して定量化することと、
付与エネルギーの前記第１の所定の閾値を超える前記物体への前記物理衝撃の前記第１の数のインジケーションを表示するか、記憶するか、又は表示及び記憶の両方を行うことと、
を含む、方法。
【請求項４０】
付与エネルギーの前記所定の閾値を超える物理的衝撃の前記第１の数を示す前記データのインジケーションを表示するか、又は送信することを更に含む、請求項３９に記載の方法。
【請求項４１】
付与エネルギーの前記第１の所定の閾値を超える前記物体への物理的衝撃が検出される都度、ヒットカウントの第１の累積数をインクリメントすることを更に含む、請求項３９に記載の方法。
【請求項４２】
ヒットカウントの前記第１の累積数のインジケーションを表示するか、又は送信することを更に含む、請求項３９に記載の方法。
【請求項４３】
前記第１の所定の閾値よりも大きな付与エネルギーの第２の所定の閾値を超える前記物体への前記物理的衝撃の第２の数を示すデータを定量化することを更に含む、請求項３９に記載の方法。
【請求項４４】
付与エネルギーの前記第２の所定の閾値を超える前記物体への物理的衝撃が検出される都度、ヒットカウントの第２の累積数をインクリメントすることを更に含む、請求項４３に記載の方法。
【請求項４５】
ヒットカウントの前記第２の累積数のインジケーションを表示するか、又は送信することを更に含む、請求項３９に記載の方法。
【請求項４６】
前記第２の所定の閾値よりも大きな付与エネルギーの第３の所定の閾値を超える前記物体への前記物理的衝撃の第３の数を示すデータを定量化することを更に含む、請求項４５に記載の方法。
【請求項４７】
付与エネルギーの前記第３の所定の閾値を超える前記物体への物理的衝撃が検出される都度、ヒットカウントの第３の累積数をインクリメントすることを更に含む、請求項４６に記載の方法。
【請求項４８】
ヒットカウントの前記第３の累積数のインジケーションを表示するか、又は送信することを更に含む、請求項３９に記載の方法。
【発明の詳細な説明】
【技術分野】
【０００１】
関連特許出願の相互参照
本願は、「Ｍｏｎｉｔｏｒｉｎｇ  Ｈｉｔ  Ｃｏｕｎｔ  Ｆｒｏｍ  Ｉｍｐａｃｔ  Ｅｖｅｎｔｓ」という名称の２０１２年１２月２７日に出願された米国仮特許出願第６１／７４６，３０５号明細書及び「Ｍｏｎｉｔｏｒｉｎｇ  Ｈｉｔ  Ｃｏｕｎｔ  Ｆｒｏｍ  Ｉｍｐａｃｔ  Ｅｖｅｎｔｓ」という名称の２０１３年３月１５日に出願された米国特許出願第１３／８４４，５０８号明細書の優先権を主張するものであり、これらの全ての開示内容が参照により本明細書に援用される。
【背景技術】
【０００２】
人への衝撃は潜在的に損傷を生じさせるおそれがある。衝撃は、並進運動又は回転運動等の力、運動の急激な変化、及び加速度の急激な変化を通して損傷を生じさせるおそれがある。さらに、人が力に曝される持続時間も、衝撃が人に対して及ぼす影響に大きく影響し得る。
【発明の概要】
【課題を解決するための手段】
【０００３】
上記に鑑みて、物体への力及び衝撃をモニタするシステム及び方法が提供される。本明細書に開示されるシステム及び方法を使用して、人間である被験者への力及び衝撃をモニタすることができる。幾つかの実施態様では、本システムは、物体に直接結合することができる共形電子回路内に配置するか、又は衣服及び保護ギア等の他の物体に配置することができる。本システムは、データをレビューして解析できるようにする記憶モジュールを含むことができる。幾つかの実施態様では、本システムはインジケータを含むこともできる。幾つかの実施態様では、インジケータを使用して、システムによって行われる衝撃のリアルタイム解析を表示することができる。
【０００４】
本明細書に開示される原理によれば、物体への物理的衝撃を定量化する装置は、物体への物理的衝撃の測定値を示すデータを受信するデータ受信器を含むことができる。データは、物体の部分に結合されるセンサによって測定することができる。センサは、物体への物理的衝撃の測定値を検出するように更に構成することができる。本装置は、ヒットカウントモニタを含むこともできる。ヒットカウントモニタは、物理的衝撃の測定値に基づいて、付与エネルギーの第１の所定の閾値を超える物体への物理的衝撃の第１の数を示すデータを定量化することができる。
【０００５】
一実施例では、物体は人体部位であることができる。人体部位は頭部、脚部、胸部、腹部、肩部であることができる。
一実施例では、本装置は、データ受信器に結合される記憶装置を更に含む。記憶装置は、付与エネルギーの所定の閾値を超える第１の数の物理的衝撃を示すデータを記憶するように構成することができる。
【０００６】
一実施例では、本装置は、付与エネルギーの所定の閾値を超える物理的衝撃の第１の数を示すデータを送信する送信モジュールを含むこともできる。幾つかの実施態様では、送信モジュールは無線送信モジュールであることができる。
【０００７】
一実施例では、本装置は、プロセッサ実行可能命令を実行して、物理的衝撃の測定値を示すデータを解析し、付与エネルギーの所定の閾値を超える物理的衝撃の第１の数を特定するプロセッサを含むこともできる。
【０００８】
特定の実施例では、本装置は、プロセッサ実行可能命令を実行して、物理的衝撃の直線加速度及び／又は角加速度の時間変動の積分に基づいて付与エネルギーを計算するプロセッサを含むこともできる。物理的衝撃の直線加速度及び／又は角加速度の時間変動を示すデータは、物体への物理的衝撃の測定値に基づいて導出することができる。
【０００９】
一実施例では、センサは加速度計及び／又はジャイロスコープを含むこともできる。これらの例では、物理的衝撃の測定値は、加速度計及び／又はジャイロスコープからの測定値に基づいて計算することができる。
【００１０】
本装置の一実施例では、プロセッサは、プロセッサ実行可能命令を実行して、物理的衝撃の各測定値に基づいて付与エネルギーの値を計算することができる。プロセッサは、物理的衝撃の各測定値に基づく付与エネルギーの値を付与エネルギーの第１の所定の閾値と比較することができる。これにより、プロセッサは、付与エネルギーの第１の所定の閾値を超える物体への物理的衝撃の第１の数を特定することができる。
【００１１】
別の実施例では、本装置は、プロセッサ実行可能命令を実行して、付与エネルギーの第１の所定の閾値を超える物体への物理的衝撃が検出される都度、ヒットカウントの第１の累積数をインクリメントするプロセッサを含むこともできる。
【００１２】
幾つかの実施例では、プロセッサは、プロセッサ実行可能命令を実行して、ヒットカウントの第１の累積数を示すデータを記憶装置に記憶するか、又は送信することもできる。センサは可撓性センサであることができ、可撓性センサは、物体の部分に適合するように構成することができる。
【００１３】
一実施例では、本装置は、基板と、基板に配置されるセンサとを含むことができる。基板は物体の部分に結合することができる。幾つかの実施例では、基板は可撓性基板であることができ、センサは可撓性センサであることができ、物体の部分に適合するように構成することができる。
【００１４】
一実施例では、ヒットカウントモニタは、第１の所定の閾値よりも大きな付与エネルギーの第２の所定の閾値を超える物体への物理的衝撃の第２の数を示すデータを更に定量化することができる。幾つかの例では、本装置は、プロセッサ実行可能命令を実行して、付与エネルギーの第２の所定の閾値を超える物体への物理的衝撃が検出される都度、ヒットカウントの第２の累積数をインクリメントするプロセッサを含むこともできる。プロセッサは、プロセッサ実行可能命令を実行して、ヒットカウントの第２の累積数を示すデータを記憶装置に記憶するか、又は送信することもできる。
【００１５】
一実施例では、ヒットカウントモニタは、第２の所定の閾値よりも大きな付与エネルギーの第３の所定の閾値を超える物体への物理的衝撃の第３の数を示すデータを定量化することができる。本プロセッサは、プロセッサ実行可能命令を実行して、付与エネルギーの第３の所定の閾値を超える物体への物理的衝撃が検出される都度、ヒットカウントの第３の累積値をインクリメントすることもできる。プロセッサは、プロセッサ実行可能命令を実行して、ヒットカウントの第２の累積数及びヒットカウントの第３の累積数のうちの少なくとも一方を示すデータを記憶装置に記憶するか、又は送信することもできる。
【００１６】
一実施例では、本装置は、物体への物理的衝撃の測定値を示すデータに基づいて曲線近似を実行するデータ近似モジュールを含むことができる。曲線近似は、付与エネルギーの第１の所定の閾値を超える物体への物理的衝撃の第１の数を示すデータを提供することができる。曲線近似は頭部損傷基準関数に基づくことができる。
【００１７】
一実施例では、物理的衝撃の測定値を示す受信データは、センサの測定閾値を超えることができ、非測定衝撃データが生成されることを示すことができる。データ近似モジュールは、所定の波形に基づいて曲線近似を実行して、非測定データを生成することができる。
【００１８】
本明細書に開示される原理によれば、物体への物理的衝撃を定量化する装置は、基板に配置される可撓性センサを含むことができる。可撓性センサは、物体の部分に適合するように構成することができる。可撓性センサは、物体への物理的衝撃の測定値を検出するように更に構成することができる。本装置は、ヒットカウントモニタを含むこともできる。ヒットカウントモニタは、物理的衝撃の測定値に基づいて、付与エネルギーの第１の所定の閾値を超える物体への物理的衝撃の第１の数を示すデータを定量化することができる。本装置は、付与エネルギーの第１の所定の閾値を超える物体への物理的衝撃の第１の数のインジケーションを表示するインジケータを含むこともできる。
【００１９】
一実施例では、インジケータは、発光デバイス、液晶ディスプレイ、及び電気泳動ディスプレイのうちの少なくとも１つを含むことができる。インジケータは発光デバイス（ＬＥＤ）であることができる。ＬＥＤは、シグナリングコードに従ってＬＥＤの光振幅の変調を使用して、物理的衝撃の第１の数のインジケーションを提供することができる。
【００２０】
一実施例では、シグナリングコードに従ったＬＥＤの光振幅の変調は、人間の目で検出可能であることができる。別の実施例では、シグナリングコードに従ったＬＥＤの光振幅の変調は、イメージセンサによって検出可能であることができる。イメージセンサは、スマートフォン、タブレット、スレート、又は電子リーダの構成要素であることができる。
【００２１】
一実施例では、本装置は、可撓性センサに結合されて、付与エネルギーの所定の閾値を超える物理的衝撃の第１の数を示すデータを記憶する記憶装置を含むこともできる。本装置は、プロセッサ実行可能命令を実行して、付与エネルギーの第１の所定の閾値を超える物体への物理的衝撃が検出される都度、ヒットカウントの第１の累積数をインクリメントするプロセッサを含むこともできる。
【００２２】
幾つかの実施例では、インジケータは、ヒットカウントの第１の累積数のインジケーションを表示することができる。ヒットカウントモニタは、第１の所定の閾値よりも大きな付与エネルギーの第２の所定の閾値を超える物体への物理的衝撃の第２の数を示すデータを定量化することもできる。
【００２３】
一実施例では、本装置は、プロセッサ実行可能命令を実行して、付与エネルギーの第２の所定の閾値を超える物体への物理的衝撃が検出される都度、ヒットカウントの第２の累積数をインクリメントするプロセッサを含むこともできる。一実施例では、インジケータは、ヒットカウントの第２の累積数のインジケーション又は付与エネルギーの第２の所定の閾値を超える物体への物理衝撃の第２の数のインジケーションを表示することができる。
【００２４】
一実施例では、ヒットカウントモニタは、第２の所定の閾値よりも大きな付与エネルギーの第３の所定の閾値を超える物体への物理的衝撃の第３の数を示すデータを定量化することができる。
【００２５】
別の実施例では、インジケータは、ヒットカウントの第３の累積数のインジケーション又は付与エネルギーの第２の所定の閾値を超える物体への物理的衝撃の第３の数のインジケーションを表示することができる。
【００２６】
本明細書に開示される原理によれば、物体への物理的衝撃を定量化する方法は、物体への少なくとも１つの物理的衝撃を示すデータを受信することと、付与エネルギーの第１の所定の閾値を超える物体への少なくとも１つの物理的衝撃の第１の数を示すデータを定量化することとを含む。本方法は、付与エネルギーの第１の所定の閾値を超える物体への物理衝撃の第１の数のインジケーションを表示し、且つ／又は記憶することも含む。
【００２７】
一実施例では、本方法は、付与エネルギーの所定の閾値を超える物理的衝撃の第１の数を示すデータのインジケーションを表示するか、又は送信することも含む。
一実施例では、本方法は、付与エネルギーの第１の所定の閾値を超える物体への物理的衝撃が検出される都度、ヒットカウントの第１の累積数をインクリメントすることを含むこともできる。本方法は、ヒットカウントの第１の累積数のインジケーションを表示するか、又は送信することも含むことができる。
【００２８】
一実施例では、本方法は、第１の所定の閾値よりも大きな付与エネルギーの第２の所定の閾値を超える物体への物理的衝撃の第２の数を示すデータを定量化することを含むこともできる。本方法は、付与エネルギーの第２の所定の閾値を超える物体への物理的衝撃が検出される都度、ヒットカウントの第２の累積数をインクリメントすることを含むこともできる。
【００２９】
一実施例では、本方法は、ヒットカウントの第２の累積数のインジケーションを表示するか、又は送信することを更に含む。本方法は、第２の所定の閾値よりも大きな付与エネルギーの第３の所定の閾値を超える物体への物理的衝撃の第３の数を示すデータを定量化することを含むこともできる。
【００３０】
別の実施例では、本方法は、付与エネルギーの第３の所定の閾値を超える物体への物理的衝撃が検出される都度、ヒットカウントの第３の累積数をインクリメントすることと、ヒットカウントの第３の累積数のインジケーションを表示するか、又は送信することとを含む。
【００３１】
本明細書に記載される図が、単なる例示を目的とすることを当業者は理解しよう。幾つかの場合では、記載される実施態様の理解を促すために、記載される実施態様の様々な態様を誇張又は拡大して示すことがあることを理解されたい。図面中、同様の参照符号は、様々な図面全体を通して同様の特徴、機能的に同様であり、且つ／又は構造的に同様の要素を指す。図面は必ずしも一定の縮尺ではなく、その代わり、教示の原理を説明することに重点が置かれている。図面は、本教示の原理の限定を決して意図していない。本システム及び本方法は、以下の図面を参照して以下の例示的な説明からよりよく理解し得る。
【図面の簡単な説明】
【００３２】
【図１Ａ】本明細書での原理による、物体に作用する衝撃を測定する装置例のブロック図を示す。
【図１Ｂ】本明細書での原理による、物体に作用する衝撃を測定する装置例のブロック図を示す。
【図１Ｃ】本明細書での原理による、物体に作用する衝撃を測定する装置例のブロック図を示す。
【図１Ｄ】本明細書での原理による、物体に作用する衝撃を測定する装置例のブロック図を示す。
【図２Ａ】本明細書での原理による、物体に作用する衝撃を測定し、衝撃を示すデータを表示する装置例のブロック図を示す。
【図２Ｂ】本明細書での原理による、物体に作用する衝撃を測定し、衝撃を示すデータを表示する装置例のブロック図を示す。
【図２Ｃ】本明細書での原理による、物体に作用する衝撃を測定し、衝撃を示すデータを表示する装置例のブロック図を示す。
【図３】本明細書での原理による、物体に作用する衝撃を測定する方法の一実施例のフローチャートを示す。
【図４】本明細書に記載され、示されるシステム及び方法の様々な要素を実施するために利用し得るコンピュータシステムの一般的なアーキテクチャを示す。
【発明を実施するための形態】
【００３３】
以下にさらに詳細に考察される概念の全ての組み合わせが、本明細書に開示される本発明の趣旨の一部であるものとして意図されることを理解されたい（そのような概念が相互に矛盾しない場合）。参照により援用される任意の開示でも出現し得る、本明細書で明示的に利用される用語が、本明細書に開示される特定の概念に最も一致する意味に従うべきであることも理解されたい。
【００３４】
以下に、衝撃事象からの衝撃数をモニタする本発明による方法、装置、及びシステムに関連する様々な概念及び実施形態のより詳細な説明が続く。本明細書では、物理的衝撃の数は「ヒットカウント」とも呼ばれる。上記で紹介され、以下に更に詳細に考察される様々な概念は、開示される概念はいかなる特定の実施様式にも限定されないため、任意の多くの方法で実施し得ることを理解されたい。特定の実施態様及び用途の例は、主に例示を目的として提供される。
【００３５】
本明細書で使用される場合、「含む」という用語は、包含するが、それに限定されないことを意味し、「含んでいる」という用語は、包含するが、それに限定されないことを意味する。「に基づく」という用語は、少なくとも部分的に基づくことを意味する。
【００３６】
本開示は、物体が受ける物理的衝撃事象の定量化に使用されるシステム、方法、及び装置に関する。物理的衝撃を示すデータは、衝撃を受ける物体に結合されるデータ受信器による測定値に基づいて、ヒットカウントとして定量化し得る。データ受信器はヒットカウントモニタと通信し、このモニタはデータに対して更なる動作を実行することができる。例えば、本明細書に記載のように、ヒットカウントモニタは、所定の衝撃付与エネルギー値を超える衝撃の累積カウントを記録し、データを記憶し、且つ／又はデータを送信し得る。本明細書で開示される任意の方法及び装置について、物理的衝撃が生じる物体は人間被験者及び／又は人間被験者の人体部位であることができる。例えば、幾つかの実施態様では、物体は被験者の頭部、脚部、胸部、腹部、及び／又は肩部であることができる。一実施例では、データ受信器は、センサによって送信されたデータを受信して、センサ測定データを提供するように構成し得る。一実施例では、データ受信器は、センサに統合される装置の構成要素であることができる。
【００３７】
本明細書での原理によるシステム及び方法の一実施例は、物体への物理的衝撃を定量化する装置を提供する。この装置は、基板に配置されるデータ受信器を含むことができる。データ受信器は、物体の部分に適合するように構成することができ、物体への物理的衝撃の測定値を検出するように構成することができる。装置は、ヒットカウントモニタを含むこともできる。ヒットカウントモニタは、物理的衝撃の測定値に基づいて、付与エネルギーの第１の所定の閾値を超える物体への物理的衝撃の第１の数を示すデータを定量化することができる。
【００３８】
本明細書で開示される原理によれば、データ受信器及びヒットカウントモニタは両方とも、スタンドアロン物理的衝撃定量化装置、衣服に組み込まれる装置、又は保護機器に組み込まれる装置等であるが、これらに限定されない同じ装置内に含むことができる。別の実施例では、データ受信器は、衝撃事象を測定するウェアラブル共形装置に統合し得る。この実施例では、衝撃事象を測定するウェアラブル共形装置は、無線で、ＬＥＤを使用して、又は任意の他の通信手段を使用してヒットカウントモニタと通信し得る。幾つかの実施例では、ヒットカウントモニタは、データ受信器の近傍に配置することができ、又はヒットカウントモニタは、データ受信器によって収集される衝撃データが転送されるモニタリング装置であることができる。
【００３９】
非限定的な実施例では、ヒットカウントの測定値を提供する本明細書に記載されるシステム、方法及び装置は、衝撃事象を測定するウェアラブル共形装置に統合し得る。この実施例では、衝撃事象を測定するウェアラブル共形装置は、無線で、又はインジケータを使用してヒットカウントモニタリング装置と通信し得る。インジケータの非限定的な実施例としては、ＬＥＤ又は任意の他の通信手段が挙げられる。
【００４０】
一実施例では、データ受信器は、衝撃のインジケーションを検知する１つ又は複数の可撓性電子回路を含む。データ受信器の電子回路は、可撓性基板に配置し、可撓性相互接続によって互いに結合することができる。幾つかの例では、データ受信器は可撓性ポリマーに封入される。本明細書での原理によれば、可撓性基板及び／又はポリマーは、ポリイミド、ポリエステル、シリコーン、又はシロキサン（例えば、ポリジメチルシロキサン（ＰＤＭＳ））、フォトパターニング可能シリコーン、ＳＵ８又は他のエポキシベースポリマー、ポリジオキサノン（ＰＤＳ）、ポリスチレン、パリレン、パリレン−Ｎ、高分子量ポリエチレン、ポリエーテルケトン、ポリウレタン、ポリ乳酸、ポリグリコール酸、ポリテトラフルオロエチレン、ポリアミド酸、ポリアクリル酸メチル、又は圧縮可能なエアロゲル様材料を含む任意の他の可撓性材料及びアモルファス半導体、又は誘電材料を含め、様々なポリマー又は高分子複合材料のうちの１つまたは複数を含むことができる。本明細書に記載される幾つかの実施例では、可撓性電子回路は、可撓性基板層上又は可撓性基板層間に配置される非可撓性電子回路を指すこともできる。
【００４１】
本明細書に記載される様々な実施例では、装置のデータ受信器は、加速度計及び／又はジャイロスコープ等の少なくとも１つのセンサを含むことができる。センサにより、データ受信器は、結合される物体の運動変化を通して衝撃を検出することができる。一実施例では、データ受信器は、加速度、向き変化、振動、Ｇの力、及び／又は落下を検出するように構成することができる。データ受信器は、１つ又は複数の直交軸に沿ってこれらの検出を行うように構成することができる。幾つかの実施例では、加速度計及び／又はジャイロスコープは、「民生品（ｃｏｍｍｅｒｃｉａｌ  ｏｆｆ−ｔｈｅ−ｓｈｅｌｆ）」すなわち「ＣＯＴＳ」を含め、商業的に入手することができる。加速度計は、圧電又は容量性構成要素を含んで、機械的運動を電気信号に変換し得る。圧電加速度計は、圧電セラミック材料又は単結晶の性質を利用して、機械的運動を電気信号に変換し得る。容量性加速度計は、微小電気機械システム、すなわちＭＥＭＳ検知要素等のシリコン微小機械加工検知要素を利用することができる。ジャイロスコープは、より改良された位置及び大きさの検出の特定に役立つことができる。非限定的な実施例として、ジャイロスコープを使用して、結合される物体の傾き又は傾斜を特定することができる。別の実施例として、ジャイロスコープを使用して、物体の回転速度又は回転加速度の測定値を提供することができる。例えば、傾き又は傾斜は、ジャイロスコープの出力（すなわち、測定値）の積分に基づいて計算することができる。
【００４２】
幾つかの実施例では、データ受信器が検出することができる衝撃は、コンタクトスポーツ、非コンタクトスポーツ、チームスポーツ、及び個人スポーツ等であるが、これらに限定されない運動中に経験し得る物理的衝撃が挙げられるが、これらに限定されない。例えば、物理的衝撃は、アメリカンフットボールでのタックルによって生じる衝撃及び野球の打者に投球が当たった際に打者が受け得る衝撃を含むことができる。これは、試合中、運動イベント中、トレーニング中、及び関連する活動中に生じ得る。衝撃の他の例としては、建築作業（又は他の産業作業）、軍事行動、作業療法、及び／又は理学療法中に生じる衝撃を挙げることができる。
【００４３】
本明細書に記載される様々な実施例では、衝撃は、ピーク加速度データ及び／又は力データ等であるが、これらに限定されない、データ受信器から受信されるデータによって定量化することができる。別の実施例では、衝撃は、衝撃の付与エネルギーに基づいて定量化することができる。幾つかの実施態様では、付与エネルギーは、衝撃への線形及び／又は加速度応答の時間変動の積分に基づく。したがって、付与エネルギー計算は、衝撃の大きさ及び持続時間を考慮に入れることができる。
【００４４】
本明細書で開示される任意の実施例では、装置は、データ又は付与エネルギー値の保存、伝送、及び／又は表示を行うことができる。ヒットカウントを使用して、物体が衝撃事象を受けた回数のインジケーションを提供することができる。非限定的な実施例では、ヒットカウントは、リトルリーグ野球で使用されるピッチカウントと同様であると考えることができる。非限定的な実施例では、ヒットカウントは、特定の１つ又は複数の閾値を超える衝撃事象数の測定値として定量化し得る。一実施例では、装置は、ヒットをカウントし、且つ／又は衝撃事象のデータ測定値を提供し得る。
【００４５】
再び上述した閾値を参照すると、第１の所定の閾値は、安全であると考えられ、且つ／又は特定の閾値未満の衝撃を登録しないように設定することができる。幾つかの実施態様では、装置のセンサは、歩行の衝撃又はフットボールの試合での安全なタックル等の他の危険ではない衝撃を検出するのに十分な感度を有し得る。この実施例では、第１の閾値の限度は、これらの「アーチファクトヒット」を衝撃の累積カウントに含めないように設定することができる。一実施例では、装置は、衝撃の深刻度をカウントし、分類し得るように複数の閾値を有することができる。例えば、第１の閾値を超えるが、第２の閾値を下回る衝撃は、軽度の衝撃として分類することができ、第２の閾値を超えるが、第３の衝撃を下回る衝撃は、中程度の衝撃として分類することができ、第３の閾値を超える衝撃は重度の衝撃として分類することができる。別の実施例では、本明細書に記載されるシステム及び方法に基づく衝撃事象の測定は、医療又は他の同様の有資格の施術者により、衝撃を非震とう性、震とう性の可能性高、及び震とう性として分類することができるか否か、数値スケールでの等級付け、非危険、中程度に危険、及び危険としての等級付け、又は同様の尺度での等級付けを判断する全体解析でのファクタとして使用することができる。
【００４６】
本明細書での任意の実施例では、衝撃ヒットカウントは、衝撃の力又は付与エネルギーの量に基づいて定量化し得る。さらに、ヒットカウントは、血圧、心拍、被験者の組織の電気測定値、又は被験者の体の近傍にある装置（加速度計、ジャイロ、圧力センサ、又は他の接触センサを含む）の測定値等であるが、これらに限定されない被験者の生理学的状況を表す生理学的データの測定値に基づいて定量化し得る。
【００４７】
本明細書で開示される原理によれば、物体への物理的衝撃を定量化する装置は、記憶装置を含むことができる。記憶装置は、ヒットカウント及び／又は衝撃を示すデータを記憶するように構成することができる。記憶装置は、フラッシュメモリ、固体状態ドライブ、リムーバブルメモリカード、又はそれらの任意の組み合わせを含むことができる。
【００４８】
別の実施例では、物体への物理的衝撃を定量化する装置は、送信モジュールを含むことができる。送信モジュールは、衝撃を示すデータ及び／又はヒットカウントを外部装置に送信するように構成することができる。例えば、送信モジュールは、タブレット、スマートフォン、又はコンピュータで実行中のコンピュータプログラムにデータを送信することができる。別の実施例では、送信モジュールは、データ及び／又はヒットカウントを外部ヒットカウントモニタ装置に送信することができる。
【００４９】
一実施例では、装置は、プロセッサ実行可能命令を実行するプロセッサも含む。実行可能命令は、物理的衝撃データを解析し、且つ／又は付与エネルギーを計算する命令を含むことができる。幾つかの実施例では、プロセッサ実行可能命令は、プロセッサに検出された衝撃の累積総数を保持させる。幾つかの実施態様では、累積総数は、上述した第１、第２、及び第３の閾値への細分応答である。本明細書に記載される原理によれば、累積総数は、建築作業員のシフト、特定の持続時間、試合、シーズン、及び／又はキャリア等の特定の時間期間にわたることができる。幾つかの例では、プロセッサ実行可能命令は、プロセッサに頭部損傷基準（ＨＩＣ）を計算させる。ＨＩＣ及び付与エネルギーは、衝撃が頭部損傷を生じさせるおそれがある危険性の測定値として使用することができる。
【００５０】
別の実施例では、プロセッサ実行可能命令は、衝撃が所定の生理学的結果を有することになる確率をプロセッサに計算させる。例えば、衝撃を検出し解析した後、プロセッサは、最も新しく検出された衝撃が、付与エネルギーを生理学的結果に関連付けることにより、震とうを生じさせる可能性が７８％あることをユーザに示し得る。別の実施例では、所定の生理学的結果を生じさせる衝撃の確率は、所定の生理学的結果が生じる可能性低、中、又は高として分類し得る。
【００５１】
幾つかの実施態様例では、プロセッサ実行可能命令は、プロセッサに、受信データの線形補間を実行させて、データ受信器によって測定されないデータポイントについてのデータを生成させることができる。例えば、プロセッサ実行可能命令は、プロセッサに、所定の波形に基づいて曲線近似を実行させて、非測定データを生成させることができる。一実施例では、波形は、候補波形の事前知識に基づいて決定することができ、又は曲線近似は、異なる印加力での低Ｇ加速度計の性能の既知の標準セットに基づく。例えば、低Ｇ加速度計は、最高で約１０Ｇ力のみを検出可能なダイナミックレンジを有し得る。装置は、活動の過程中、装置のダイナミックレンジ外の力を受け得る。幾つかの実施態様例では、候補波形形状の事前知識を使用して、ヒットカウントモニタによる解析用に標準波形を再作成することができる。
【００５２】
本明細書に記載される様々な実施例では、衝撃定量化装置は、インジケータを含むように構成することができる。インジケータを使用して、ヒットカウント及び／又は衝撃を示すデータを直接表示又は送信することができる。一実施例では、インジケータは、収集されたデータを表示する画面等の人間可読インタフェースを提供する。この表示値シーケンスは、リセット又は電源オフ及び電源オンシーケンス等の、表示値の取得に関連する特定の動作又はシーケンスによってトリガーされることができるが、これらに限定されない。
【００５３】
別の人間可読例では、インジケータは、明滅するか、又は特定の色で発光して、衝撃のタイプ及び／又は量を示すＬＥＤを含み得る。この例では、インジケータを使用して、定義される閾値を超える衝撃の数に対応する、観測可能な閃光シーケンスを明滅（オンオフ）させることができる。オンオフフラッシュシーケンスはカウントされて、特定の数を与えることができる。非限定的な例として、＜オン＞、＜オフ＞、＜オン＞、＜オフ＞、＜オン＞、＜オフ＞シーケンスは、閾値を超える３つの衝撃に対応することができる。２桁（９つを超える衝撃）の場合、数は上述したように示し得る。＜オン＞、＜オフ＞、＜一時停止＞、＜オン＞、＜オフ＞、＜オン＞、＜オフ＞が、十進法表記を使用して１２個の衝撃に対応する。＜オン＞パルスの有用持続時間は１０ミリ秒〜４００ミリ秒の範囲であることができるが、任意の観測可能な持続時間を使用することができる。＜一時停止＞は、数の分離を示すために、＜オン＞信号とは知覚可能に異なるべきである（より長い又はより短いを含め）。この表示値シーケンスは、リセット又は電源オフ及び電源オンシーケンス等の表示値の取得に関連する特定の動作又はシーケンスによってトリガーされることができるが、これらに限定されない。
【００５４】
開始シーケンス及び終了シーケンスを使用して、高速パルス又は特定の数値等の信号値を一まとめにし得る。別の数値シーケンスを使用して、ウェアラブルユニットの一意のＩＤを提供することもできる。
【００５５】
パルスを表示する枠組みは、シーケンスを特定のニーズに合わせるように、コンピュータ接続（無線又は有線）を介してプログラム可能であり、セットアップすることもできる。より長い点滅シーケンスを使用して複数の値を通信することができるが、これは、時間の問題及び他の複雑性に起因してあまり望ましくないことがある。人間可読モールスコード様のシーケンス又はパルス幅変調と同様の符号化は、より多くの情報を提供することができるが、かなりのトレーニング及び転写が必要であり得る。
【００５６】
更に別の実施例では、インジケータは、人間可読インジケータへの追加又は代替として、非人間可読インジケータを提供できる。例えば、スマートフォンアプリケーション（又はハンドヘルド装置上の機械可読命令の他の同様のアプリケーション）を使用して、カメラ又は他の手段を使用して衝撃インジケータの出力を読み出すか、又は他の様式で定量化することができる。例えば、衝撃インジケータが、ＬＥＤを使用してインジケーションを提供するか、又は情報を送信する場合、スマートフォン又は他のハンドヘルド装置のカメラ又は他の撮像構成要素を使用して、衝撃インジケータの出力をモニタし得る。ＬＥＤを使用する非人間可読インタフェースの例としては、人間の目で知覚することができないレートでのＬＥＤの明滅、赤外線又は紫外線等の可視スペクトル外の電磁放射線を発するＬＥＤ、及び／又は人間が知覚することができないような低明度で発光するＬＥＤが挙げられる。
【００５７】
本明細書でのハンドヘルド装置の非限定的な実施例としては、スマートフォン、タブレット、スレート、電子リーダ、又はデータの収集（ヒットカウント及び／又は衝撃事象の測定値等であるが、これらに限定されない）及び／又はデータに基づく計算又は他の解析（ヒットカウントの計算、付与エネルギーの計算、及び／又は衝撃事象が閾値を超えるか、それとも下回るかの判断等であるが、これらに限定されない）に使用することができる任意の寸法フォームファクタ（ミニを含む）の他のポータブル装置が挙げられる。コンピュータ又は他の計算装置を含め、他の装置をデータの収集及び／又はデータに基づく計算又は他の解析に使用することもできる。ハンドヘルド装置、コンピュータ、及び／又は計算装置をネットワーク化して、収集データ及び／又は解析データへのより大きなアクセス可能性を促進し、且つ／又は一般にアクセス可能にすることができる。
【００５８】
非限定的な実施例として、衝撃インジケータユニットは、サイクルで電源投入することができ、リセット後に再びオンになる際、ヒットカウントを表す数値に対応する知覚可能な明滅シリーズを提供する。これは、ヒットカウントを読み出す直接的な視覚手段を提供する。インジケーションは、人間可読構成及び非人間可読構成の両方で、ヒット総数、特定の閾値内のヒット数、所与の持続時間にわたるヒット数に関連する情報を提供し得る。別の例では、インジケータは、一意の装置ＩＤ、ユーザの氏名、身長、体重、性別、ユーザＩＤ、ユーザプロフィール、及び現在の閾値レベル等であるが、これらに限定されないユーザプロフィール情報を提供することもできる。
【００５９】
別の非限定的な実施例では、７セグメント表示、ＬＥＤアレイ、又はＬＣＤディスプレイ等であるが、これらに限定されないマルチセグメント表示等のヒットカウント数を示すインジケータが使用される。別の非限定的な実施例では、衝撃インジケータからの直接光信号を検出し、ヒットカウントを読み出すことができるスマートフォン等の装置が使用される。
【００６０】
別の非限定的な実施例では、ヒットカウントモニタは、ＬＥＤ表示をインジケータから読み取り、衝撃インジケータの階層インジケーションから階層ヒットカウントを計算し、データをヒットカウントモニタのメモリにログする、スマートフォンベース、タブレットベース、又はスレートベースのアプリケーションを含むリーダアプリケーションである。非限定的な実施例では、階層情報は、第１の閾値衝撃に達する衝撃（低レベル衝撃を含む）の場合の緑色光インジケーション、第２の閾値衝撃に達する衝撃（中レベル衝撃を含む）の場合の黄色光インジケーション、及び第３の閾値衝撃に達する衝撃（高レベル衝撃を含む）の場合の赤色光インジケーション、又はそれらの任意の組み合わせであり得る。その場合、アプリケーションは、カウントを表示するか、又は推奨ヒット残数を示すことができる。被験者がスポーツ選手である一実施例では、ヒットカウントモニタは、その特定の試合、そのシーズン、キャリア等でのプレーヤの推奨ヒット残数のインジケーションを提供し得る。被験者が機器又は装置の構成要素である一実施例では、ヒットカウントモニタは、構成要素が交換される前、推奨ヒット残数のインジケーションを提供し得る。アプリケーションは、データ及びリポートを親、トレーナー、コーチ、及び医療従事者等の選択された受信者に送信することもできる。データは、ある時間にわたって集計して、個人プレーヤ、プレーヤグループ、チーム全体、又はリーグ全体の統計を提供することもできる。そのようなデータを使用して、ゲームプレイでの傾向、ルール変更の影響、コーチングの違い、試合戦略での違い等を示す情報を提供することができる。
【００６１】
被験者が個人である本明細書に提供される任意の実施例では、システム、方法、又は装置が、該当する場合、送信を実行する前に、そのような情報又は他のリポートを、その個人ではない受信者に送信することへの個人の同意を得ていることが意図される。
【００６２】
ウェアラブル電子装置を使用して、特定の衝撃事象に関連する情報（他の生理学的測定値を含む）を検知することができる。そのような衝撃インジケータ装置は、薄く、体と共形のユニットを含み、この情報をユーザ等に様々な方法で提供することができる。幾つかの非限定的な実施例としては、無線通信、スタータス表示、触覚装置、触知装置、及び光学通信が挙げられる。米国特許出願第１２／９７２，０７３号明細書、同第１２／９７６，６０７号明細書、同第１２／９７６，８１４号明細書、同第１２／９７６，８３３号明細書、及び／又は同第１３／４１６，３８６号明細書に記載されるような衝撃インジケータの場合、ウェアラブル電子装置を使用して、衝撃数（他の生理学的データを含む）をオンボードで登録し記憶することができる。
【００６３】
本開示は、インジケータ又はディスプレイを使用して衝撃（他の生理学的データを含む）の数又はレベルを表示し通信する手段を記載する。定義される閾値を超える衝撃（Ｇ力又はＨＩＣ値等であるが、これらに限定されない）の数は、機械可読命令（ソフトウェアを含む）でインクリメントすることができ、後に、特定のトリガーが発生したときに、ユーザ又は他の当事者に通信することができる。
【００６４】
本明細書に記載される原理によるヒットカウントモニタに適用可能であり得るスマート照明装置の非限定的な実施例として、「Ｕｎｉｖｅｒｓａｌ  Ｌｉｇｈｔｉｎｇ  Ｎｅｔｗｏｒｋ  Ｍｅｔｈｏｄｓ  ａｎｄ  Ｓｙｓｔｅｍｓ」という名称の米国特許第６，４４８，９６７号明細書には、照明を提供し、センサを用いて刺激を検出し、且つ／又は信号を送信することが可能な装置が記載されている。スマート照明装置及びスマート照明ネットワークは、通信目的で使用し得る。
【００６５】
図１Ａ〜図１Ｄは、物体への物理的衝撃を定量化する可能な装置構成の非限定的な実施例を示す。図１Ａの装置例は、基板１００に配置されるデータ受信器１０１を含む。データ受信器１０１は、データ受信器及び基板が結合される物体の部分に適合するように構成することができる。データ受信器１０１は、本明細書に記載される任意の例及び／又は図の原理による任意のセンサ構成要素のうちの１つ又は複数を含むことができ、この例では、少なくとも１つの加速度計１０３と、少なくとも１つのジャイロスコープ１０４とを含む。少なくとも１つの加速度計１０３及びジャイロスコープを使用して、物体への物理的衝撃を示すデータを測定することができる。図１Ａの装置例は、ヒットカウントモニタ１０２も含む。ヒットカウントモニタ１０２は、物理的衝撃を示すデータを定量化するように構成することができる。一実施例では、ヒットカウントモニタ１０２は、データ受信器１０１を有する基板１００に配置することができ、別の実施例では、ヒットカウントモニタ１０２は、基板１００及びデータ受信器１０１の近傍に配置される。
【００６６】
図１Ａの装置の実施態様例では、ヒットカウントモニタ１０２は、衝撃の付与エネルギー及び／又はＨＩＣ値を計算することにより、物理的衝撃を示すデータを定量化するように構成することができる。
【００６７】
図１Ｂは、基板１００と、データ受信器１０１と、ヒットカウントモニタ１０２と、記憶モジュール１０７とを含む、本明細書で開示される原理による別の装置例を示す。記憶モジュール１０７は、データ受信器１０１及び／又はヒットカウントモニタ１０２からのデータを保存するように構成することができる。幾つかの実施態様では、記憶装置１０７は任意のタイプの不揮発性メモリである。例えば、記憶装置１０７は、フラッシュメモリ、固体状態ドライブ、リムーバブルメモリカード、又はそれらの任意の組み合わせを含むことができる。特定の実施例では、記憶装置１０７は、装置から取り外し可能である。幾つかの実施態様では、記憶装置１０７は装置にローカルであり、一方、他の実施例では、リモートである。例えば、記憶装置１０７は、スマートフォンの内部メモリであることができる。この実施例では、装置は、スマートフォンで実行中のアプリケーションを介して電話と通信し得る。幾つかの実施態様では、センサデータを記憶装置１０７に記憶して、後に処理することができる。幾つかの実施例では、記憶装置１０７は、実行されて、データ受信器１０１からのデータを解析するプロセッサ実行可能命令を記憶する空間を含むことができる。他の実施例では、記憶装置１０７のメモリを使用して、累積ヒットカウントという衝撃を示す測定データを記憶することができる。
【００６８】
図１Ｃは、基板１００と、データ受信器１０１と、ヒットカウントモニタ１０２と、送信モジュール１０６とを含む、本明細書で開示される原理による装置例を示す。送信モジュール１０６は、データ受信器１０１、ヒットカウントモニタ１０２からのデータ又は記憶装置１０７に記憶されたデータを外部装置に送信するように構成することができる。一実施例では、送信モジュール１０６は、無線送信モジュールであることができる。例えば、送信モジュール１０６は、無線ネットワーク、無線周波通信プロトコル、Ｂｌｕｅｔｏｏｔｈ（登録商標）、近距離通信を介して、及び／又は赤外線又は非赤外線ＬＥＤを使用して光学的に、データを外部装置に送信することができる。
【００６９】
図１Ｄは、基板１００と、データ受信器１０１と、ヒットカウントモニタ１０２と、プロセッサ１０７とを含むシステム例を示す。データ受信器１０１は、センサ測定に関するデータをセンサから受信することができる。一実施例では、センサは可撓性センサであることができる。プロセッサ１０７は、記憶装置１０７及び／又はプロセッサ１０７に記憶されたプロセッサ実行可能命令を実行するよう、物理的衝撃の測定値を示すデータを解析するように構成することができる。幾つかの実施態様では、データは、データ受信器１０１から直接受信することもでき、又は記憶装置１０７から検索することができる。一実施例では、プロセッサは、ヒットカウントモニタ１０２の構成要素であり、且つ／又はデータ受信器１０１の近傍に配置することができる。別の実施例では、プロセッサ１０７は、装置からデータをダウンロードし、検索されたデータを解析する外部装置内等、装置の外部にあることができる。プロセッサ１０７は、付与エネルギーに関してデータ受信器１０１によって受信されたデータを定量化するプロセッサ実行可能命令を実行することができる。
【００７０】
別の実施例では、プロセッサ１０７は、所定の閾値に関して衝撃を分類することができる。幾つかの実施例では、プロセッサ１０７は、所定の閾値によって生成される各ビンのヒットカウントを保持し、特定のビンに対応する衝撃が検出される場合、カウントをインクリメントすることができる。例えば、第１のビンは、第１の閾値を超えるが、第２の閾値を下回る特定の付与エネルギーの衝撃を含み得、第２のビンは、第２の閾値を超えるが、第３の閾値を下回る付与エネルギー値を有する衝撃を含み得、第３のビンは、第３の閾値を超える付与エネルギー値を有する任意の衝撃を含み得る。プロセッサ１０７は、送信モジュール１０６を介して各ビンの累積ヒットカウントを外部装置に送信し得る。各ビンのヒットカウントは、所定の間隔でリセットすることができる。例えば、装置は、スポーツ選手がある時間期間にわたって受けるヒット数を追跡し得る。別の実施例では、累積ヒットカウントは、所定の時間期間中に残っているヒット数を示し得る。例えば、装置は、フットボール選手を試合の残りの時間で控えに下げることが必要になるまでに、その選手が、中程度の深刻さのヒットをさらに３回受けることが許されていることを示し得る。
【００７１】
図２Ａ〜図２Ｃは、物体への物理的衝撃を定量化し、物理的衝撃の数量を表示する可能な装置構成の非限定的な実施例を示す。図２Ａ〜図２Ｃの実施例は、基板２００と、可撓性センサ２０１と、ヒットカウントモニタ２０２と、インジケータ２０３とを含む。異なる例では、装置は、本明細書に記載されるプロセッサ実行可能命令を実行するプロセッサ２０５と、プロセッサ実行可能命令及び／又はヒットカウントモニタ２０２及び／又は可撓性センサ２０１からのデータを記憶する記憶装置２０４とを含むことができる。図２Ａ〜図２Ｃの装置例は、衝撃情報、ヒットカウント情報、及び／又はユーザ情報を表示し、且つ／又は送信するインジケータ２０３も含む。
【００７２】
一実施例では、インジケータ２０３は、液晶ディスプレイ又は電気泳動ディスプレイ（電子インク等）及び／又は複数のインジケータ光を含むことができる。例えば、インジケータ２０３は、一連のＬＥＤを含むことができる。幾つかの実施態様では、ＬＥＤの色は、緑から赤まで等の範囲を有する。この実施例では、特定の所定の閾値を超える衝撃が検出される場合、赤色インジケータ光をアクティブ化することができ、衝撃が所定の閾値未満の場合、緑色インジケータ光をアクティブ化することができる。更に別の実施例では、ＬＥＤインジケータ光の強度は、ヒットの深刻性及び／又は数に相関付けることができる。例えば、ＬＥＤは、中程度の衝撃の場合、低強度で光ることができ、深刻な衝撃の場合、高強度で光ることができる。
【００７３】
別の実施例では、インジケータ２０３のＬＥＤは、特定のレートで明滅して、衝撃により付与されるエネルギーのレベルを示すように構成し得る。例えば、インジケータは、第１の閾値を超えるが、第２の閾値を下回る衝撃の場合、ゆっくりと明滅し、第２の閾値を超える衝撃の場合、高速で明滅し得る。更に別の実施例では、インジケータ２０３は、モールスコード等のシグナリングコードを使用して明滅し、衝撃データを送信し得る。上述したように、幾つかの実施態様では、インジケータ２０３のシグナリングは、人間の目で検出可能であり、他の実施態様では、人間の目では検出することができず、イメージセンサによってのみ検出することができる。人間の目の可視スペクトル外の光（例えば、赤外線）、又は暗すぎて検出することができないインジケータ２０３は、人間の目に起訴すべきインジケーション方法の例である。幾つかの実施例では、人間の目の視覚能力外の信号の検出に使用されるイメージセンサは、スマートフォン、タブレットコンピュータ、スレートコンピュータ、及び／又は電子リーダのイメージセンサであることができる。
【００７４】
図３は、本明細書に記載される原理による、物体への物理的衝撃を定量化する非限定的な方法例を示すフローチャートを示す。
ブロック３０１において、処理ユニットは、物体への少なくとも１つの物理的衝撃を示すデータを受信する。
【００７５】
ブロック３０２において、処理ユニットは、衝撃を示すデータを定量化する。一実施例では、処理ユニットは、付与エネルギーの値によって衝撃を定量化し得る。幾つかの実施例では、処理ユニットは、所定の閾値を超える付与エネルギーの値を有する衝撃のみを定量化し得る。上述したように、幾つかの実施例では、第１の所定の閾値を超える付与エネルギー値を有する衝撃は、衝撃の付与エネルギー値が第２又は第３の所定の閾値を超える場合に応答して更に分類し得る。
【００７６】
ブロック３０３において、処理ユニットは、第１の累積ヒット数をインクリメントする。一実施例では、処理ユニットは、第１の所定の閾値を超える付与エネルギー値を有するヒットの累積カウント数を保持する。幾つかの実施例では、処理ユニットは、第２及び第３の所定の閾値を超える付与エネルギー値を有する衝撃に対応するヒットの第２及び第３の累積数をそれぞれ保持し、インクリメントする。
【００７７】
ブロック３０４において、装置は、物理的衝撃の第１の累積数のインジケーションの表示、送信、又は記憶を行う。図３に示されるように、ステップ３０４ａ、３０４ｂ、及び３０４ｃはそれぞれ、単独で、又は組み合わせて実行することができる。一実施例では、インジケータ２０３を使用して、累積ヒット数をユーザ又は外部モニタに表示することができる。別の実施例では、送信器１０６を使用して、外部モニタに無線又は有線で送信することができ、更に別の実施例では、累積ヒット数は、装置にローカルに、又は別個の装置に記憶することができる。
【００７８】
ブロック３０５において、装置は、物理的衝撃の第１の数を示すデータのインジケーションの表示、送信、又は記憶を行う。図３に示されるように、ステップ３０５ａ、３０５ｂ、及び３０５ｃはそれぞれ、単独で、又は組み合わせて実行することができる。一実施例では、インジケータ２０３を使用して、ユーザ又は外部モニタへの衝撃を示すデータを表示することができる。例えば、装置は、ある時間にわたる衝撃データのグラフをユーザに表示するディスプレイを有し得る。別の実施例では、送信器１０６を使用して、衝撃を示すデータを無線又は有線で送信することができる。そのような一実施例では、データは、装置からダウンロードし、コンピュータアプリケーションを介してユーザによって解析することができる。更に別の実施例では、衝撃を示すデータは、装置にローカルに、又はラップトップのハードドライブ等の別個の装置に記憶することができる。
【００７９】
本明細書での考察は３つの異なる所定の閾値を参照するが、システムが、本明細書に記載される方法例に従ってはるかに多くの指定閾値レベルに基づいて衝撃事象にアクセス可能なことが理解される。
【００８０】
図４は、本明細書で考察される任意のコンピュータシステムの実施に利用し得る例示的なコンピュータシステム４００の一般的なアーキテクチャを示す。図４のコンピュータシステム４００は、メモリ４２５に通信可能に結合される１つ又は複数のプロセッサ４２０と、１つ又は複数の通信インタフェース４０５と、１つ又は複数の出力装置４１０（例えば、１つ又は複数の表示ユニット）と、１つ又は複数の入力装置４１５とを備える。
【００８１】
図４のコンピュータシステム４００では、メモリ４２５は、任意のコンピュータ可読記憶媒体を備え得、各システムに関して本明細書に記載される様々な機能を実施するプロセッサ実行可能命令等のコンピュータ命令と、それに関連するか、それによって生成されるか、又は通信インタフェース若しくは入力装置を介して受信される任意のデータとを記憶し得る。図４に示されるプロセッサ４２０を使用して、メモリ４２５に記憶される命令を実行し得、そうするに当たり、命令の実行に関連して処理され、且つ／又は生成される様々な情報をメモリから読み出すか、又はメモリに書き込むこともできる。
【００８２】
図４に示されるコンピュータシステム４００のプロセッサ４２０は、通信インタフェース４０５に通信可能に結合するか、又は通信インタフェース４０５を制御して、命令の実行に関連する様々な情報を送信又は受信することもできる。例えば、通信インタフェース４０５は、有線又は無線ネットワーク、バス、又は他の通信手段（例としてのネットワーク１１４として示される）に結合し得、したがって、コンピュータシステム４００が他の装置（例えば、他のコンピュータシステム）に情報を送信し、且つ／又は他の装置から情報を受信できるようにし得る。図１のシステムに明示されていないが、１つ又は複数の通信インタフェースは、システム１００の構成要素間の情報フローを促進する。幾つかの実施態様では、通信インタフェースは、コンピュータシステム４００の少なくとも幾つかの側面へのアクセスポータルとしてウェブサイトを提供するように構成し得る（例えば、様々なハードウェア構成要素又はソフトウェア構成要素を介して）。
【００８３】
図４に示されるコンピュータシステム４００の出力装置４１０を提供して、例えば、様々な情報を閲覧するか、又は命令の実行に関連して他の様式で知覚できるようにし得る。入力装置４１５を提供して、例えば、ユーザが、手動での調整、選択を行い、データ又は様々な他の情報を入力し、又は命令の実行中にプロセッサと任意の様々な様式で対話できるようにし得る。
【００８４】
本明細書に記載される趣旨及び動作の実施形態は、デジタル電子回路で、本明細書で開示される構造及びその構造的均等物を含むコンピュータソフトウェア、ファームウェア、若しくはハードウェアで、又はそれらのうちの１つ若しくは複数の組み合わせで実施することができる。本明細書に記載される趣旨の実施形態は、コンピュータ記憶媒体に符号化され、データ処理装置によって実行されるか、又はデータ処理装置の動作を制御する１つ又は複数のコンピュータプログラムとして、すなわち、コンピュータプログラム命令の１つ又は複数のモジュールとして実施することができる。プログラム命令は、適する受信装置に送信されて、データ処理装置によって実行される情報を符号化するために生成される、任意の人工的に生成される伝搬信号、例えば、機械生成電気信号、光信号、又は電磁信号に符号化することができる。コンピュータ記憶媒体は、コンピュータ可読記憶装置、コンピュータ可読記憶基板、ランダム若しくはシリアルアクセスメモリアレイ又は装置、又はそれらの１つ若しくは複数の組み合わせであるか、又はそれに包含することができる。さらに、コンピュータ記憶媒体は伝搬信号ではないが、コンピュータ記憶媒体は、人工的に生成される伝搬信号に符号化されるコンピュータプログラム命令の送信元又は宛先であることができる。コンピュータ記憶媒体は、１つ又は複数の別個の物理的構成要素又は媒体（例えば、複数のＣＤ、ディスク、又は他の記憶装置）であることもでき、又はそれに包含することもできる。
【００８５】
本明細書に記載される動作は、１つ又は複数のコンピュータ可読記憶装置に記憶されたデータ又は他のソースから受信されるデータに対してデータ処理装置によって実行される動作として実施することができる。
【００８６】
「データ処理装置」又は「計算装置」という用語は、例として、プログラマブルプロセッサ、コンピュータ、システムオンチップ、又は上記のうちの複数若しくは組み合わせを含む、データを処理する全ての種類の装置、デバイス、機械を包含する。装置は、専用論理回路、例えば、ＦＰＧＡ（フィールドプログラマブルゲートアレイ）又はＡＳＩＣ（特定用途向け集積回路）を含むことができる。装置は、ハードウェアに加えて、問題となっているコンピュータプログラムの実行環境を生成するコード、例えば、プロセッサファームウェア、プロトコルスタック、データベース管理システム、オペレーティングシステム、クロスプラットフォーム実行時環境、仮想マシン、又はそれらのうちの１つ若しくは複数の組み合わせを構成するコードを含むこともできる。
【００８７】
コンピュータプログラム（プログラム、ソフトウェア、ソフトウェアアプリケーション、スクリプト、アプリケーション、又はコードとしても知られる）は、コンパイル型又はインタプリタ型言語、宣言型又は手続き型言語を含む任意の形態のプログラミング言語で書くことができ、スタンドアロンプログラム、又はモジュール、コンポーネント、サブルーチン、オブジェクト、若しくは計算環境での使用に適する他の単位を含む任意の形態で展開することができる。コンピュータプログラムは、ファイルシステムでのファイルに対応し得るが、そうである必要はない。プログラムは、問題となっているプログラム専用の単一のファイル又は複数の調整されるファイル（例えば、１つ又は複数のモジュール、サブプログラム、又はコードの部分を記憶するファイル）に他のプログラム又はデータ（例えば、マークアップ言語文書に記憶された１つ又は複数のスクリプト）を保持するファイルの一部に記憶することができる。コンピュータプログラムは、１つのコンピュータ又は１つのサイトに配置されるか、若しくは複数のサイトにわたって分散し、通信ネットワークによって相互接続される複数のコンピュータで実行されるように展開することができる。
【００８８】
本明細書に記載されるプロセス及び論理フローは、１つ又は複数のコンピュータプログラムを実行して、入力データに対して動作し、出力を生成することによって動作を実行する１つ又は複数のプログラマブルプロセッサによって実行することができる。プロセス及び論理フローは、専用論理回路、例えば、ＦＰＧＡ（フィールドプログラマブルゲートアレイ）又はＡＳＩＣ（特定用途向け集積回路）によって実行することもでき、又は専用論理回路として実施することもできる。
【００８９】
コンピュータプログラムの実行に適するプロセッサとしては、汎用マイクロプロセッサ及び専用マイクロプロセッサの両方並びに任意の種類のデジタルコンピュータの任意の１つ又は複数のプロセッサが挙げられるが、これらに限定されない。一般に、プロセッサは、読み取り専用メモリ、ランダムアクセスメモリ、又は両方から命令及びデータを受信する。コンピュータの基本要素は、命令に従って動作を実行するプロセッサと、命令及びデータを記憶する１つ又は複数のメモリ装置とである。一般に、コンピュータは、データを記憶する１つ又は複数の大容量記憶装置、例えば、磁気ディスク、磁気光学ディスク、又は光ディスクも含むか、又はこれに動作可能に結合して、データの受信若しくは転送を行う。しかし、コンピュータはそのような装置を有する必要はない。さらに、コンピュータは例えば、別の装置、例えば、携帯電話、個人情報端末（ＰＤＡ）、モバイルオーディオ又はビデオプレーヤ、ゲームコンソール、全地球測位システム（ＧＰＳ）受信器、又はポータブル記憶装置（例えば、ユニバーサルシリアルバス（ＵＳＢ）フラッシュドライブ）に埋め込むことができる。コンピュータプログラム命令及びデータの記憶に適する装置は、例として半導体メモリデバイス、例えば、ＥＰＲＯＭ、ＥＥＰＲＯＭ、及びフラッシュメモリデバイス、磁気ディスク、例えば、内部ハードディスク又はリムーバブルディスク、磁気光学ディスク、並びにＣＤ  ＲＯＭ及びＤＶＤ−ＲＯＭディスクを含む全ての形態の不揮発性メモリ、媒体、及びメモリ装置を含む。プロセッサ及びメモリは、専用論理回路によって補足するか、専用論理回内に組み込んでもよい。
【００９０】
ユーザとの対話を提供するために、本明細書に記載される趣旨の実施形態は、情報をユーザに表示する表示装置、例えば、ＣＲＴ（陰極線管）、プラズマ、又はＬＣＤ（液晶ディスプレイ）モニタと、ユーザが入力をコンピュータに入力できるようにするキーボード及びポインティングデバイス、例えば、マウス、タッチスクリーン、又はトラックボールとを有するコンピュータで実施することができる。他の種類の装置を使用して、ユーザとの対話を同様に提供することができる。例えば、ユーザに提供されるフィードバックは、任意の形態の感覚的フィードバック、例えば、視覚的フィードバック、可聴的フィードバック、又は触覚的フィードバックであることができ、ユーザからの入力は、音響、発話、又は触覚的入力を含む任意の形態で受信することができる。さらに、コンピュータは、ユーザによって使用される装置と文書を送受信することにより、例えば、ウェブブラウザからの要求受信に応答して、ウェブページをユーザのクライアント装置上のウェブブラウザに送信することにより、ユーザと対話することができる。
【００９１】
本明細書に記載される趣旨の実施形態は、例えば、データサーバとしてバックエンド構成要素を含むか、ミドルウェア構成要素、例えばアプリケーションサーバを含むか、フロントエンド構成要素、例えば、ユーザが本明細書に記載される趣旨の実施態様と対話できるようにするグラフィカルユーザインタフェース若しくはウェブブラウザを有するクライアントコンピュータを含むか、又は１つ若しくは複数のそのようなバックエンド、ミドルウェア、若しくはフロントエンド構成要素の任意の組み合わせを含む計算システムで実施することができる。システムの構成要素は、任意の形態又は媒体のデジタルデータ通信、例えば、通信ネットワークによって相互接続することができる。通信ネットワークの例としては、ローカルエリアネットワーク（「ＬＡＮ」）及び広域ネットワーク（「ＷＡＮ」）、インターネットワーク（例えば、インターネット）及びピアツーピアネットワーク（例えば、アドホックピアツーピアネットワーク）が挙げられる。
【００９２】
システム４００又はシステム１００等の計算システムは、クライアント及びサーバを含むことができる。クライアント及びサーバは一般に、互いにリモートであり、通常、通信ネットワークを通して対話する。クライアント及びサーバの関係は、各コンピュータで実行され、互いにクライアント−サーバ関係を有するコンピュータプログラムによって生じる。幾つかの実施形態では、サーバは、データをクライアント装置に送信する（例えば、データを表示するとともに、クライアント装置と対話するユーザからユーザ入力を受信するために）。クライアント装置で生成されるデータ（例えば、ユーザ対話の結果）は、サーバにおいてクライアント装置から受信することができる。
【００９３】
本明細書は多くの特定の実施詳細を含むが、これらは、いかなる発明の範囲又は特許請求し得るものへの限定として解釈されるべきではなく、本明細書に記載されるシステム及び方法の特定の実施形態に固有の特徴の説明として解釈されるべきである。別個の実施形態の文脈の中で本明細書において説明される特定される特徴は、単一の実施形態で組み合わせ実施することもできる。逆に、単一の実施形態の文脈の中で説明される様々な特徴は、複数の実施形態で別個に、又は任意の適する副結合で実施することもできる。さらに、特徴は、特定の組み合わせで動作するものとして上述され、さらには当初そのように特許請求されるものがあるが、特許請求される組み合わせからの１つ又は複数の特徴は、場合によっては、その組み合わせから実施することができ、特許請求される組み合わせは、副結合又は副結合の変形に向けることもできる。
【００９４】
同様に、動作は、特定の順序で図面に示されるが、これは、所望の結果を達成するために、そのような動作を示される特定の順序で、若しくは逐次実行すること又は示される全ての動作が実行されることを要求するものとして理解されるべきではない。場合によっては、特許請求の範囲に記載される動作は、異なる順序で実行することができ、それでもなお所望の結果を達成することができる。さらに、添付図に示されるプロセスは、所望の結果を達成するために、必ずしも、示される特定の順序又は逐次順を要求するものではない。
【００９５】
特定の状況では、マルチタスク及び並列処理が有利であり得る。さらに、上述した実施形態での様々なシステム構成要素の分離は、全ての実施形態でそのような分離が要求されるものとして理解されるべきではなく、説明されるプログラム構成要素及びシステムが一般に、単一のソフトウェア製品に一緒に統合してもよく、又は複数のソフトウェア製品にパッケージしてもよいことを理解されたい。
【図１Ａ】
2016506526.tif 000003
【図１Ｂ】
2016506526.tif 000004
【図１Ｃ】
2016506526.tif 000005
【図１Ｄ】
2016506526.tif 000006
【図２Ａ】
2016506526.tif 000007
【図２Ｂ】
2016506526.tif 000008
【図２Ｃ】
2016506526.tif 000009
【図３】
2016506526.tif 000010
【図４】
2016506526.tif 000011
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
物体への物理的衝撃を定量化する装置であって、
物体への物理的衝撃の測定値を示すデータを受信するように構成されるデータ受信器であって、前記データは、前記物体の部分に結合されるセンサによって測定され、前記センサは、前記物体への物理的衝撃の測定値を検出するように構成される、データ受信器と、
前記物理的衝撃の前記測定値に基づいて、付与エネルギーの第１の所定の閾値を超える前記物体への前記物理的衝撃の第１の数を示すデータを定量化するように構成されるヒットカウントモニタと、
前記物体への前記物理的衝撃の前記測定値を示す前記データに基づいて、曲線近似を実行するように構成されるデータ近似モジュールであって、前記曲線近似は、付与エネルギーの前記第１の所定の閾値を超える前記物体への前記物理的衝撃の前記第１の数を示す前記データを提供する、データ近似モジュールと、
を備える、装置。
【請求項２】
前記物体は人体部位である、請求項１に記載の装置。
【請求項３】
前記人体部位は頭部、脚部、胸部、腹部、または肩部である、請求項２に記載の装置。
【請求項４】
前記データ受信器に結合される記憶装置を更に備え、前記記憶装置は、付与エネルギーの前記第１の所定の閾値を超える前記第１の数の前記物理的衝撃を示す前記データを記憶するように構成される、請求項１に記載の装置。
【請求項５】
付与エネルギーの前記所定の閾値を超える物理的衝撃の前記第１の数を示すデータを送信する送信モジュールを更に備える、請求項１に記載の装置。
【請求項６】
前記送信モジュールは無線送信モジュールである、請求項５に記載の装置。
【請求項７】
プロセッサ実行可能命令を実行して、前記物理的衝撃の前記測定値を示すデータを解析し、付与エネルギーの前記所定の閾値を超える前記物理的衝撃の前記第１の数を特定するように構成されるプロセッサを更に備える、請求項１に記載の装置。
【請求項８】
プロセッサ実行可能命令を実行して、前記物理的衝撃の直線加速度及び角加速度のうちの少なくとも一方の時間変動の積分に基づいて付与エネルギーを計算するプロセッサを更に備え、前記物理的衝撃の直線加速度及び角加速度のうちの少なくとも一方の時間変動を示すデータは、前記物体への前記物理的衝撃の前記測定値に基づいて導出されるように構成される、請求項１に記載の装置。
【請求項９】
前記センサは加速度計及びジャイロスコープのうちの少なくとも一方を更に備え、前記物理的衝撃の前記測定値は、前記加速度計及び前記ジャイロスコープのうちの少なくとも一方からの測定値に基づいて計算される、請求項１に記載の装置。
【請求項１０】
プロセッサ実行可能命令を実行して、前記物理的衝撃の各測定値に基づいて付与エネルギーの値を計算し、前記物理的衝撃の各測定値に基づく付与エネルギーの値を前記付与エネルギーの前記第１の所定の閾値と比較することにより、付与エネルギーの前記第１の所定の閾値を超える前記物体への前記物理的衝撃の前記第１の数を特定するように構成されるプロセッサを更に備える、請求項１に記載の装置。
【請求項１１】
プロセッサ実行可能命令を実行して、付与エネルギーの前記第１の所定の閾値を超える前記物体への物理的衝撃が検出される都度、ヒットカウントの第１の累積数をインクリメントするように構成されるプロセッサを更に備える、請求項１に記載の装置。
【請求項１２】
前記プロセッサは、プロセッサ実行可能命令を更に実行して、ヒットカウントの前記第１の累積数を示すデータを記憶装置に記憶するか、又は送信する、請求項１１に記載の装置。
【請求項１３】
前記センサは可撓性センサであり、前記可撓性センサは、前記物体の前記部分に適合するように構成される、請求項１に記載の装置。
【請求項１４】
基板と、
前記基板に配置されるセンサであって、前記基板は前記物体の前記部分に結合される、センサと、
を更に備える、請求項１に記載の装置。
【請求項１５】
前記基板は可撓性基板であり、前記センサは可撓性センサであり、前記可撓性センサは、前記物体の前記部分に適合するように構成される、請求項１４に記載の装置。
【請求項１６】
前記ヒットカウントモニタは、前記第１の所定の閾値よりも大きな付与エネルギーの第２の所定の閾値を超える前記物体への前記物理的衝撃の第２の数を示すデータを更に定量化する、請求項１に記載の装置。
【請求項１７】
プロセッサ実行可能命令を実行して、付与エネルギーの前記第２の所定の閾値を超える前記物体への物理的衝撃が検出される都度、ヒットカウントの第２の累積数をインクリメントするプロセッサを更に備えるように構成される、請求項１６に記載の装置。
【請求項１８】
前記プロセッサは、プロセッサ実行可能命令を更に実行して、ヒットカウントの前記第２の累積数を示すデータを記憶装置に記憶するか、又は送信する、請求項１７に記載の装置。
【請求項１９】
前記ヒットカウントモニタは、前記第２の所定の閾値よりも大きな付与エネルギーの第３の所定の閾値を超える前記物体への前記物理的衝撃の第３の数を示すデータを定量化する、請求項１３に記載の装置。
【請求項２０】
プロセッサ実行可能命令を実行して、付与エネルギーの前記第３の所定の閾値を超える前記物体への物理的衝撃が検出される都度、ヒットカウントの第３の累積値をインクリメントするプロセッサを更に備えるように構成される、請求項１９に記載の装置。
【請求項２１】
前記プロセッサは、プロセッサ実行可能命令を更に実行して、ヒットカウントの前記第２の累積数及びヒットカウントの前記第３の累積数のうちの少なくとも一方を示すデータを記憶装置に記憶するか、又は送信する、請求項２０に記載の装置。
【請求項２２】
前記曲線近似は頭部損傷基準関数に基づく、請求項１に記載の装置。
【請求項２３】
前記物理的衝撃の前記測定値を示す前記受信データは、前記センサの測定閾値を超え、非測定衝撃データが生成されることを示し、前記データ近似モジュールは、所定の波形に基づいて前記曲線近似を実行して、前記非測定データを生成する、請求項１に記載の装置。
【請求項２４】
物体への物理的衝撃を定量化する装置であって、
可撓性基板上又は可撓性基板内に配置される可撓性センサであって、物体の部分に適合するように構成され、前記可撓性センサは、前記物体への物理的衝撃の測定値を検出するように更に構成される、可撓性センサと、
前記物理的衝撃の前記測定値に基づいて、付与エネルギーの第１の所定の閾値を超える前記物体への前記物理的衝撃の第１の数を示すデータを定量化するように構成されるヒットカウントモニタと、
付与エネルギーの前記第１の所定の閾値を超える前記物体への前記物理的衝撃の前記第１の数のインジケーションを表示するように構成されるインジケータと、
前記物体への前記物理的衝撃の前記測定値を示す前記データに基づいて、曲線近似を実行するように構成されるデータ近似モジュールであって、前記曲線近似は、付与エネルギーの前記第１の所定の閾値を超える前記物体への前記物理的衝撃の前記第１の数を示す前記データを提供する、データ近似モジュールと、
を備える、装置。
【請求項２５】
前記インジケータは、発光ダイオード（ＬＥＤ）デバイス、液晶ディスプレイ（ＬＣＤ）デバイス、または電気泳動ディスプレイデバイスまたはそれらの任意の組み合わせを含む、請求項２４に記載の装置。
【請求項２６】
前記インジケータは発光ダイオード（ＬＥＤ）デバイスであり、前記ＬＥＤデバイスは、シグナリングコードに従ってＬＥＤの光振幅の変調を使用して、前記物理的衝撃の前記第１の数の前記インジケーションを提供する、請求項２４に記載の装置。
【請求項２７】
前記シグナリングコードに従った前記ＬＥＤの前記光振幅の前記変調は、人間の目で検出可能である、請求項２６に記載の装置。
【請求項２８】
前記シグナリングコードに従った前記ＬＥＤの前記光振幅の前記変調は、イメージセンサによって検出可能である、請求項２６に記載の装置。
【請求項２９】
前記イメージセンサは、スマートフォン、タブレット、スレート、又は電子リーダの構成要素である、請求項２８に記載の装置。
【請求項３０】
前記可撓性センサに結合されて、付与エネルギーの前記所定の閾値を超える前記物理的衝撃の前記第１の数を示すデータを記憶するように構成される記憶装置を更に備える、請求項２４に記載の装置。
【請求項３１】
プロセッサ実行可能命令を実行して、付与エネルギーの前記第１の所定の閾値を超える前記物体への物理的衝撃が検出される都度、ヒットカウントの第１の累積数をインクリメントするように構成されるプロセッサを更に備える、請求項２４に記載の装置。
【請求項３２】
前記インジケータは、ヒットカウントの前記第１の累積数のインジケーションを表示する、請求項３１に記載の装置。
【請求項３３】
前記ヒットカウントモニタは、前記第１の所定の閾値よりも大きな付与エネルギーの第２の所定の閾値を超える前記物体への前記物理的衝撃の第２の数を示すデータを更に定量化する、請求項２４に記載の装置。
【請求項３４】
プロセッサ実行可能命令を実行して、付与エネルギーの前記第２の所定の閾値を超える前記物体への物理的衝撃が検出される都度、ヒットカウントの第２の累積数をインクリメントするように構成されるプロセッサを更に備える、請求項３３に記載の装置。
【請求項３５】
前記インジケータは、ヒットカウントの前記第２の累積数のインジケーション又は付与エネルギーの前記第２の所定の閾値を超える前記物体への前記物理衝撃の前記第２の数のインジケーションを表示する、請求項３４に記載の装置。
【請求項３６】
前記ヒットカウントモニタは、前記第２の所定の閾値よりも大きな付与エネルギーの第３の所定の閾値を超える前記物体への前記物理的衝撃の第３の数を示すデータを定量化する、請求項３３に記載の装置。
【請求項３７】
前記インジケータは、ヒットカウントの前記第３の累積数のインジケーション又は付与エネルギーの第２の所定の閾値を超える前記物体への前記物理的衝撃の前記第３の数のインジケーションを表示する、請求項３６に記載の装置。
【請求項３８】
物体への物理的衝撃を定量化する方法であって、
物体への複数の物理的衝撃を示すデータを受信することと、
処理ユニットを使用して、前記物体への前記物理的衝撃を示す前記受信データに基づいて曲線近似を実行することであって、前記曲線近似は、前記物体への前記物理的衝撃のいずれが、付与エネルギーの第１の所定の閾値を超えるかを識別するデータを提供する、曲線近似を実行することと、
処理ユニットを使用して、付与エネルギーの前記第１の所定の閾値を超える前記物体への前記物理的衝撃の第１の数を示すデータを定量化することと、
付与エネルギーの前記第１の所定の閾値を超える前記物体への前記物理衝撃の前記第１の数のインジケーションを表示するか、記憶するか、又は表示及び記憶の両方を行うことと、
を含む、方法。
【請求項３９】
付与エネルギーの前記第１の所定の閾値を超える前記物理的衝撃の前記第１の数を示す前記データのインジケーションを表示するか、送信するか、又は表示及び送信の両方を行うことを更に含む、請求項３８に記載の方法。
【請求項４０】
付与エネルギーの前記第１の所定の閾値を超える前記物体への物理的衝撃が検出される都度、ヒットカウントの第１の累積数をインクリメントすることを更に含む、請求項３８に記載の方法。
【請求項４１】
ヒットカウントの前記第１の累積数のインジケーションを表示するか、送信するか、又は表示及び送信の両方を行うことを更に含む、請求項４０に記載の方法。
【請求項４２】
前記第１の所定の閾値よりも大きな付与エネルギーの第２の所定の閾値を超える前記物体への前記物理的衝撃の第２の数を示すデータを定量化することを更に含む、請求項３８に記載の方法。
【請求項４３】
付与エネルギーの前記第２の所定の閾値を超える前記物体への物理的衝撃が検出される都度、ヒットカウントの第２の累積数をインクリメントすることを更に含む、請求項４２に記載の方法。
【請求項４４】
ヒットカウントの前記第２の累積数のインジケーションを表示するか、送信するか、又は表示及び送信の両方を行うことを更に含む、請求項４３に記載の方法。
【請求項４５】
前記第２の所定の閾値よりも大きな付与エネルギーの第３の所定の閾値を超える前記物体への前記物理的衝撃の第３の数を示すデータを定量化することを更に含む、請求項４３に記載の方法。
【請求項４６】
付与エネルギーの前記第３の所定の閾値を超える前記物体への物理的衝撃が検出される都度、ヒットカウントの第３の累積数をインクリメントすることを更に含む、請求項４５に記載の方法。
【請求項４７】
ヒットカウントの前記第３の累積数のインジケーションを表示するか、送信するか、又は表示及び送信の両方を行うことを更に含む、請求項４６に記載の方法。
【国際調査報告】
2016506526.tif 000012